(57)【要約】【課題】有色媒体の明度に応じた単位面積当たりの量で白色色材により画像を形成してその上に有色色材により画像を形成するよう構成された場合に比較して、有色媒体に所望の色を再現できる可能性を高める。【解決手段】有色媒体に印刷する画像を取得する画像取得手段と、有色媒体の色に応じた色変換を行うための色変換情報を用いて、画像取得手段により取得された画像上の色を変換する色変換手段と、色変換手段により色が変換された画像を出力する画像出力手段とを備えたことを特徴とする情報処理装置。【選択図】図５
2019192995.tif 000002
【特許請求の範囲】
【請求項１】
有色媒体に印刷する画像を取得する画像取得手段と、
前記有色媒体の色に応じた色変換を行うための色変換情報を用いて、前記画像取得手段により取得された画像上の色を変換する色変換手段と、
前記色変換手段により色が変換された画像を出力する画像出力手段と
を備えたことを特徴とする情報処理装置。
【請求項２】
前記有色媒体の属性に基づいて前記色変換情報を取得する色変換情報取得手段を更に備えたことを特徴とする請求項１に記載の情報処理装置。
【請求項３】
前記有色媒体の種別を指定する操作に応じて、当該有色媒体の種別を、当該有色媒体の属性として特定する特定手段を更に備えたことを特徴とする請求項２に記載の情報処理装置。
【請求項４】
前記有色媒体の色を指定する操作に応じて、当該有色媒体の色を、当該有色媒体の属性として特定する特定手段を更に備えたことを特徴とする請求項２に記載の情報処理装置。
【請求項５】
複数の有色色材の色及び白色色材の色により構成される第１の色空間における色値から当該第１の色空間とは異なる第２の色空間における色値への色変換を行うための前記色変換情報を取得する色変換情報取得手段を更に備えたことを特徴とする請求項１に記載の情報処理装置。
【請求項６】
前記色変換情報取得手段は、前記第１の色空間における色値と前記第２の色空間における色値とを予め対応付けた対応情報を、前記色変換情報として取得することを特徴とする請求項５に記載の情報処理装置。
【請求項７】
前記色変換情報取得手段は、前記白色色材の色により構成される色空間における色値と前記第２の色空間における色値とを予め対応付けた対応情報を取得し、当該対応情報から求まる色値と、前記複数の有色色材の色により構成される色空間における色値とを用いて、前記色変換情報を生成することにより、当該色変換情報を取得することを特徴とする請求項５に記載の情報処理装置。
【請求項８】
複数の有色色材の色により構成される第３の色空間における色値と白色色材による前記有色媒体の隠蔽率とから当該第３の色空間とは異なる第４の色空間における色値への色変換を行うための前記色変換情報を取得する色変換情報取得手段を更に備えたことを特徴とする請求項１に記載の情報処理装置。
【請求項９】
前記隠蔽率を指定する操作に応じて、当該隠蔽率を特定する特定手段を更に備えたことを特徴とする請求項８に記載の情報処理装置。
【請求項１０】
前記画像出力手段は、前記色変換手段により色が変換された画像を、表示装置に出力することを特徴とする請求項１に記載の情報処理装置。
【請求項１１】
前記画像出力手段は、前記色変換手段により色が変換された画像を、印刷装置に出力することを特徴とする請求項１に記載の情報処理装置。
【請求項１２】
コンピュータに、
有色媒体に印刷する画像を取得する画像取得機能と、
前記有色媒体の色に応じた色変換を行うための色変換情報を用いて、前記画像取得機能により取得された画像上の色を変換する色変換機能と、
前記色変換機能により色が変換された画像を出力する画像出力機能と
を実現させるためのプログラム。
【発明の詳細な説明】
【技術分野】
【０００１】
本発明は、情報処理装置及びプログラムに関する。
【背景技術】
【０００２】
白色トナーにより白色画像を形成する記録媒体の明度に応じた単位面積当たりの白色トナー量を設定し、設定された単位面積当たりの白色トナー量で白色トナーにより白色画像を形成すると共に、有色トナーにより有色画像を形成する画像形成手段は、知られている（例えば、特許文献１参照）。
【先行技術文献】
【特許文献】
【０００３】
【特許文献１】特開２０１７−１８２０３２号公報
【発明の概要】
【発明が解決しようとする課題】
【０００４】
有色媒体に有色色材により画像を形成することがある。このとき、有色媒体の明度に応じた単位面積当たりの量で白色色材により画像を形成してその上に有色色材により画像を形成する構成を採用した場合には、有色媒体の色を隠蔽できない虞があるので、有色媒体に所望の色を再現できる可能性が低下する。
【０００５】
本発明の目的は、有色媒体の明度に応じた単位面積当たりの量で白色色材により画像を形成してその上に有色色材により画像を形成するよう構成された場合に比較して、有色媒体に所望の色を再現できる可能性を高めることにある。
【課題を解決するための手段】
【０００６】
請求項１に記載の発明は、有色媒体に印刷する画像を取得する画像取得手段と、前記有色媒体の色に応じた色変換を行うための色変換情報を用いて、前記画像取得手段により取得された画像上の色を変換する色変換手段と、前記色変換手段により色が変換された画像を出力する画像出力手段とを備えたことを特徴とする情報処理装置である。
請求項２に記載の発明は、前記有色媒体の属性に基づいて前記色変換情報を取得する色変換情報取得手段を更に備えたことを特徴とする請求項１に記載の情報処理装置である。
請求項３に記載の発明は、前記有色媒体の種別を指定する操作に応じて、当該有色媒体の種別を、当該有色媒体の属性として特定する特定手段を更に備えたことを特徴とする請求項２に記載の情報処理装置である。
請求項４に記載の発明は、前記有色媒体の色を指定する操作に応じて、当該有色媒体の色を、当該有色媒体の属性として特定する特定手段を更に備えたことを特徴とする請求項２に記載の情報処理装置である。
請求項５に記載の発明は、複数の有色色材の色及び白色色材の色により構成される第１の色空間における色値から当該第１の色空間とは異なる第２の色空間における色値への色変換を行うための前記色変換情報を取得する色変換情報取得手段を更に備えたことを特徴とする請求項１に記載の情報処理装置である。
請求項６に記載の発明は、前記色変換情報取得手段は、前記第１の色空間における色値と前記第２の色空間における色値とを予め対応付けた対応情報を、前記色変換情報として取得することを特徴とする請求項５に記載の情報処理装置である。
請求項７に記載の発明は、前記色変換情報取得手段は、前記白色色材の色により構成される色空間における色値と前記第２の色空間における色値とを予め対応付けた対応情報を取得し、当該対応情報から求まる色値と、前記複数の有色色材の色により構成される色空間における色値とを用いて、前記色変換情報を生成することにより、当該色変換情報を取得することを特徴とする請求項５に記載の情報処理装置である。
請求項８に記載の発明は、複数の有色色材の色により構成される第３の色空間における色値と白色色材による前記有色媒体の隠蔽率とから当該第３の色空間とは異なる第４の色空間における色値への色変換を行うための前記色変換情報を取得する色変換情報取得手段を更に備えたことを特徴とする請求項１に記載の情報処理装置である。
請求項９に記載の発明は、前記隠蔽率を指定する操作に応じて、当該隠蔽率を特定する特定手段を更に備えたことを特徴とする請求項８に記載の情報処理装置である。
請求項１０に記載の発明は、前記画像出力手段は、前記色変換手段により色が変換された画像を、表示装置に出力することを特徴とする請求項１に記載の情報処理装置である。
請求項１１に記載の発明は、前記画像出力手段は、前記色変換手段により色が変換された画像を、印刷装置に出力することを特徴とする請求項１に記載の情報処理装置である。
請求項１２に記載の発明は、コンピュータに、有色媒体に印刷する画像を取得する画像取得機能と、前記有色媒体の色に応じた色変換を行うための色変換情報を用いて、前記画像取得機能により取得された画像上の色を変換する色変換機能と、前記色変換機能により色が変換された画像を出力する画像出力機能とを実現させるためのプログラムである。
【発明の効果】
【０００７】
請求項１の発明によれば、有色媒体の明度に応じた単位面積当たりの量で白色色材により画像を形成してその上に有色色材により画像を形成するよう構成された場合に比較して、有色媒体に所望の色を再現できる可能性が高まる。
請求項２の発明によれば、有色媒体の色に応じた色変換を行うための色変換情報として、有色媒体の属性に対応するものを取得することができる。
請求項３の発明によれば、有色媒体の色に基づいて色変換情報を取得するよう構成された場合に比較して、色変換情報を正しく取得できる可能性が高まる。
請求項４の発明によれば、有色媒体の種別に基づいて色変換情報を取得するよう構成された場合に比較して、色変換情報を直感的に取得できる可能性が高まる。
請求項５の発明によれば、有色媒体に印刷する画像における白色色材の量を有色媒体の隠蔽率で表す場合に比較して、画像上の色が所望の色に変換される可能性が高まる。
請求項６の発明によれば、白色色材の色により構成される色空間における色値とその色空間とは異なる色空間における色値とを予め対応付けた対応情報を用いて画像上の色を変換する場合に比較して、画像上の色が所望の色に変換される可能性が高まる。
請求項７の発明によれば、複数の有色色材の色及び白色色材の色により構成される色空間における色値とその色空間とは異なる色空間における色値とを予め対応付けた対応情報を用いて画像上の色を変換する場合に比較して、画像上の色を変換する際の手間を削減することができる。
請求項８の発明によれば、有色媒体に印刷する画像における白色色材の量を色値で表す場合に比較して、画像上の色を変換する際の手間を削減することができる。
請求項９の発明によれば、有色媒体に印刷する画像における白色色材の量を有色媒体の隠蔽率で表す際に、隠蔽率を指定させることができる。
請求項１０の発明によれば、有色媒体に所望の色を再現できるように色変換された画像を表示装置に表示することができる。
請求項１１の発明によれば、有色媒体に所望の色を再現できるように色変換された画像を印刷装置で印刷することができる。
請求項１２の発明によれば、有色媒体の明度に応じた単位面積当たりの量で白色色材により画像を形成してその上に有色色材により画像を形成するよう構成された場合に比較して、有色媒体に所望の色を再現できる可能性が高まる。
【図面の簡単な説明】
【０００８】
【図１】本発明の実施の形態が適用される画像形成システムの全体構成例を示した図である。
【図２】本発明の実施の形態における端末装置のハードウェア構成例を示した図である。
【図３】本発明の実施の形態における画像形成装置の全体構成例を示したブロック図である。
【図４】本発明の第１の実施の形態におけるプロファイルの作成について示した図である。
【図５】本発明の第１の実施の形態におけるプロファイルを用いた色変換について示した図である。
【図６】本発明の第２の実施の形態におけるプロファイルを用いた色変換について示した図である。
【図７】本発明の第３の実施の形態におけるプロファイルの作成について示した図である。
【図８】本発明の第３の実施の形態におけるプロファイルを用いた色変換について示した図である。
【図９】本発明の第３の実施の形態の色変換処理で用いられる色変換係数の作成方法を説明するための図である。
【図１０】本発明の第４の実施の形態における色変換について示した図である。
【図１１】本発明の第４の実施の形態の色変換処理で用いられる色変換係数の作成方法を説明するための図である。
【図１２】本発明の実施の形態におけるプリントサーバの機能構成例を示したブロック図である。
【図１３】本発明の実施の形態におけるプリントサーバのプロファイル作成時の動作例を示したフローチャートである。
【図１４】本発明の実施の形態におけるプリントサーバの色変換時の動作例を示したフローチャートである。
【発明を実施するための形態】
【０００９】
以下、添付図面を参照して、本発明の実施の形態について詳細に説明する。
【００１０】
［画像形成システムの全体構成］
図１は、本実施の形態が適用される画像形成システム１の全体構成例を示した図である。図示するように、画像形成システム１は、端末装置１０と、プリントサーバ３０と、画像形成装置５０とが、通信回線８０を介して接続されることにより、構成されている。尚、図には、１つの端末装置１０、プリントサーバ３０、画像形成装置５０しか示していないが、複数の端末装置１０、プリントサーバ３０、画像形成装置５０を設けてもよい。
【００１１】
端末装置１０は、画像形成装置５０での印刷を指示するために用いられるコンピュータ装置である。具体的には、文書作成アプリケーション等を動作させることにより、印刷対象となる文書データ等を作成する。そして、プリントサーバ３０に対応するプリンタドライバを動作させることにより、この文書データ等の印刷を指示する印刷指示データを作成し、これをプリントサーバ３０へ送る。この印刷指示データは、ＰＤＬ（Page Description Language）で記述されたＰＤＬデータであってもよいし、ＰＤＬデータに変換する前段階のデータであってもよい。ここで、端末装置１０としては、デスクトップＰＣ、ノートＰＣ等を用いるとよい。
【００１２】
プリントサーバ３０は、端末装置１０から印刷指示データを受信し、画像形成装置５０での印刷に用いられる印刷データとして蓄積する。印刷指示データがＰＤＬデータであれば、ＰＤＬデータに対してラスタライズ、色変換等の処理を行って印刷データとして蓄積すればよいし、印刷指示データがＰＤＬデータに変換する前段階のデータであれば、これをＰＤＬデータに変換した後、ラスタライズ、色変換等の処理を行って印刷データとして蓄積すればよい。そして、画像形成装置５０から文書データ等の印刷を行う旨の要求があると、印刷データを画像形成装置５０に送信する。或いは、端末装置１０が出力先の画像形成装置５０を指定することにより、画像形成装置５０からの印刷要求を待たずに、印刷データを画像形成装置５０に送信するようにしてもよい。また、プリントサーバ３０は、画像形成装置５０の媒体収容部に収容された媒体の種類を管理する。本実施の形態では、情報処理装置の一例として、プリントサーバ３０を設けている。
【００１３】
画像形成装置５０は、媒体に文書データ等の画像を形成する装置である。この画像形成装置５０は、プリンタの機能のみを備えたものであってもよいし、他にスキャナやファクシミリの機能を備えたものであってもよい。ここで、画像形成装置５０における画像形成方式としては、例えば、電子写真方式を用いるとよいが、その他の方式を用いてもよい。
【００１４】
［端末装置及びプリントサーバのハードウェア構成］
図２は、本実施の形態における端末装置１０のハードウェア構成例を示した図である。図示するように、端末装置１０は、ＣＰＵ１１と、メインメモリ１２と、ＨＤＤ１３と、通信インターフェース（図では「通信Ｉ／Ｆ」と表記）１４と、表示デバイス１５と、入力デバイス１６とを備える。
【００１５】
ＣＰＵ１１は、例えばＨＤＤ１３に記憶された各種プログラムをメインメモリ１２にロードして実行することにより、端末装置１０の機能を実現する。
【００１６】
メインメモリ１２は、ＣＰＵ１１の作業用メモリ等として用いられるメモリである。
【００１７】
ＨＤＤ１３は、ＣＰＵ１１が実行する各種プログラム、端末装置１０で作成又は取得したデータ等を記憶するメモリである。
【００１８】
通信Ｉ／Ｆ１４は、通信回線８０を介して他の装置との間で各種情報の送受信を行う。
【００１９】
表示デバイス１５は、端末装置１０内部から出力された各種情報を表示するデバイスである。ここで、表示デバイスとしては、例えば、液晶ディスプレイを用いるとよい。
【００２０】
入力デバイス１６は、ユーザが入力した情報を受け取り、これを端末装置１０内部へ入力するデバイスである。
【００２１】
また、図２に示したハードウェア構成は、プリントサーバ３０のハードウェア構成としても捉えられる。但し、プリントサーバ３０について述べるときは、図２のＣＰＵ１１、メインメモリ１２、ＨＤＤ１３、通信Ｉ／Ｆ１４、表示デバイス１５、入力デバイス１６をそれぞれ、ＣＰＵ３１、メインメモリ３２、ＨＤＤ３３、通信Ｉ／Ｆ３４、表示デバイス３５、入力デバイス３６と表記するものとする。
【００２２】
［画像形成装置の全体構成］
図３は、本実施の形態における画像形成装置５０の全体構成例を示した図である。画像形成装置５０は、所謂タンデム型の装置であって、例えば、電子写真方式にて各色成分のトナー像が形成される複数の画像形成ユニット５１（５１Ｙ、５１Ｍ、５１Ｃ、５１Ｋ、５１Ｗ）、各画像形成ユニット５１にて形成された各色成分トナー像を順次転写（一次転写）して保持させる中間転写ベルト５６、中間転写ベルト５６上に転写された重ね画像を媒体Ｐに一括転写（二次転写）させる二次転写装置５１０、二次転写された画像を媒体Ｐ上に定着させる定着装置５４０、媒体Ｐ上に定着されたトナー像から色に関する特徴量を計測する測色センサ５５０を備えている。
【００２３】
この画像形成装置５０では、常用色（通常色）であるイエロー（Ｙ）、マゼンタ（Ｍ）、シアン（Ｃ）、黒（Ｋ）のトナー像を形成する画像形成ユニット５１Ｙ、５１Ｍ、５１Ｃ、５１Ｋの他に、白（Ｗ）のトナー像を形成する画像形成ユニット５１Ｗがタンデムを構成する画像形成ユニットの一つとして設けられている。
【００２４】
本実施の形態において、各画像形成ユニット５１（５１Ｙ、５１Ｍ、５１Ｃ、５１Ｋ、５１Ｗ）は、矢印Ａ方向に回転する感光体ドラム５２の周囲に、これらの感光体ドラム５２を帯電させる帯電器５３、感光体ドラム５２上に静電潜像を書き込むレーザ露光器５４（図中露光ビームを符号Ｂｍで示す）、各色成分トナーが収容されて感光体ドラム５２上の静電潜像をトナーにより可視像化する現像器５５、感光体ドラム５２上に形成された各色成分トナー像を中間転写ベルト５６に転写する一次転写ロール５７、感光体ドラム５２上の残留トナーを除去するドラムクリーナ５８等の電子写真用デバイスが順次配設されている。これらの画像形成ユニット５１は、中間転写ベルト５６の上流側から、イエロー（Ｙ色）、マゼンタ（Ｍ色）、シアン（Ｃ色）、黒（Ｋ色）、白（Ｗ色）の順に配置されている。
【００２５】
また、中間転写ベルト５６は、各種ロールによって図に示す矢印Ｂ方向に回転可能に構成されている。この各種ロールとして、図示しないモータにより駆動されて中間転写ベルト５６を回転させる駆動ロール５１５、中間転写ベルト５６に対して一定の張力を与えると共に中間転写ベルト５６の蛇行を防止する機能を備えたテンションロール５１６、中間転写ベルト５６を支持するアイドルロール５１７及びバックアップロール５１２（後述）を有している。
【００２６】
また、一次転写ロール５７には、トナーの帯電極性と逆極性の電圧が印加されるようになっており、これにより各々の感光体ドラム５２上のトナー像が中間転写ベルト５６に順次、静電吸引され、中間転写ベルト５６上に重ねトナー像が形成されるようになっている。
【００２７】
更に、二次転写装置５１０は、中間転写ベルト５６のトナー像保持面側に圧接配置される二次転写ロール５１１と、中間転写ベルト５６の裏面側に配置されて二次転写ロール５１１の対向電極をなすバックアップロール５１２とを備えており、このバックアップロール５１２には二次転写バイアスが安定的に印加される金属製の給電ロール５１３が接触配置されている。そして、二次転写ロール５１１には、二次転写ロール５１１に付着した汚れを除去するブラシロール５１４が接触配置されている。
【００２８】
また、二次転写ロール５１１の下流側には二次転写後の中間転写ベルト５６の表面をクリーニングするベルトクリーナ５２１が設けられている。
【００２９】
更に、本実施の形態では、媒体搬送系として、媒体Ｐを収容する媒体収容部５３０、この媒体収容部５３０に集積された媒体Ｐを取り出して搬送するピックアップロール５３１、ピックアップロール５３１にて繰り出された媒体Ｐを搬送する搬送ロール５３２、搬送ロール５３２により搬送された媒体Ｐを二次転写装置５１０による二次転写位置へと送り込む媒体搬送路５３３、二次転写後の媒体Ｐを定着装置５４０へと搬送する搬送ベルト５３４を備えている。
【００３０】
［本実施の形態の概要］
媒体Ｐとして色紙等の有色媒体を使用する場合、このような画像形成装置５０によりＣＭＹＫトナーの下に白トナーを敷くのは一般的である。
【００３１】
しかしながら、白トナーの濃度によっては、媒体Ｐの色が透けてＣＭＹＫトナーと混ざったような色になり、媒体Ｐに所望の色を再現できないことがある。
【００３２】
そこで、本実施の形態では、媒体Ｐの色に応じた色変換係数を用いて、媒体Ｐに印刷する画像上の色を変換し、色が変換された画像を出力する。
【００３３】
その場合、媒体Ｐの色に応じた色変換係数は、媒体Ｐの属性に基づいて取得すればよい。媒体Ｐの属性としては、例えば、媒体Ｐの種別を用いてもよいし、媒体Ｐの色を直接用いてもよい。
【００３４】
また、色変換係数としては、ＣＭＹＫＷ色空間における色値からＲＧＢ色空間又はＬａｂ色空間における色値への色変換を行うための情報を取得してよい。第１の取得方法として、ＣＭＹＫＷ色空間における色値とＲＧＢ色空間又はＬａｂ色空間における色値とを予め対応付けたプロファイルを色変換係数として取得することが考えられる。第２の取得方法として、Ｗ色空間における色値とＲＧＢ色空間又はＬａｂ色空間における色値とを予め対応付けたプロファイルを取得し、そのプロファイルから求まる色値と、ＣＭＹＫ色空間における色値とを用いて、色変換係数を生成することにより、色変換係数を取得することが考えられる。或いは、色変換係数としては、ＣＭＹＫ色空間における色値と白トナーによる媒体Ｐの隠蔽率とからＲＧＢ色空間又はＬａｂ色空間における色値への色変換を行うための情報を取得してもよい。
【００３５】
更に、色が変換された画像の出力先は、端末装置１０の表示デバイス１５であってもよいし、画像形成装置５０であってもよい。
【００３６】
ここで、色変換係数は、色変換情報の一例である。また、ＣＭＹＫＷ色空間は、複数の有色色材の色及び白色色材の色により構成される第１の色空間の一例であり、ＣＭＹＫ色空間は、複数の有色色材の色により構成される第３の色空間の一例であり、ＲＧＢ色空間又はＬａｂ色空間は、第１の色空間とは異なる第２の色空間、及び、第３の色空間とは異なる第４の色空間の一例であり、Ｗ色空間は、白色色材の色により構成される色空間の一例である。更に、端末装置１０の表示デバイス１５は、表示装置の一例であり、画像形成装置５０は、印刷装置の一例である。
【００３７】
以下、媒体Ｐとして用紙を例にとる。そして、媒体Ｐの属性として用紙の種別（例えば、用紙銘柄）を採用し、色変換係数としてＣＭＹＫＷ色空間における色値からＲＧＢ色空間又はＬａｂ色空間における色値への色変換を行うための情報を採用し、色変換係数の取得方法として第１の取得方法を採用した場合において、色が変換された画像の出力先として端末装置１０の表示デバイス１５を採用した場合を第１の実施の形態とし、色が変換された画像の出力先として画像形成装置５０を採用した場合を第２の実施の形態として、説明する。また、媒体Ｐの属性として用紙の種別（例えば、用紙銘柄）を採用し、色変換係数としてＣＭＹＫＷ色空間における色値からＲＧＢ色空間又はＬａｂ色空間における色値への色変換を行うための情報を採用し、色変換係数の取得方法として第２の取得方法を採用し、色が変換された画像の出力先として端末装置１０の表示デバイス１５を採用した場合を第３の実施の形態とする。更に、媒体Ｐの属性として用紙色を採用し、色変換係数としてＣＭＹＫ色空間における色値と白トナーによる媒体Ｐの隠蔽率とからＲＧＢ色空間又はＬａｂ色空間における色値への色変換を行うための情報を採用し、色が変換された画像の出力先として端末装置１０の表示デバイス１５を採用した場合を第４の実施の形態として、説明する。
【００３８】
（第１の実施の形態）
第１の実施の形態は、端末装置１０の表示デバイス１５上で印刷結果をシミュレーションする際に、手間がかかっても品質を向上させたい場合の実施の形態である。具体的には、用紙ごとに白トナーを使用したときのＣＭＹＫＷ値からＲＧＢ値又はＬａｂ値への色変換係数を作成し、印刷結果を表示する際にその色変換係数を用いて色変換を行う。尚、第１の実施の形態では、用紙ごとに白トナーを使用したときのＣＭＹＫＷ値とＲＧＢ値又はＬａｂ値とを対応付けたプロファイルがそのまま色変換係数として用いられるので、以下では、色変換係数を「プロファイル」として説明する。
【００３９】
図４は、第１の実施の形態におけるプロファイルの作成について示した図である。
【００４０】
図示するように、まず、プロファイル作成指示画面３０１上で、選択肢３０１１，３０１２の何れかが選択され、入力欄３０１３に用紙銘柄が入力された状態で、ボタン３０１４が押下されると、画像形成装置５０にて、ＣＭＹＫトナー及び白トナーによる多数のパッチを含むチャート画像３０２が出力される。
【００４１】
次に、チャート画像３０２の読み取り又は測定を行う読み取り／測定処理３０３が行われる。このうち、読み取り処理は、選択肢３０１１が選択された場合に実行される処理で、測色センサ５５０（インラインセンサ）がチャート画像３０２を読み取る処理である。また、測定処理は、選択肢３０１２が選択された場合に実行される処理で、測色装置（図示せず）がチャート画像３０２を測定する処理である。
【００４２】
そして、この読み取り／測定処理３０３により、プロファイル３０４が作成される。プロファイル３０４は、入力欄３０１３に入力された用紙銘柄に対して登録される。また、プロファイル３０４は、読み取り処理により作成された場合は、ＣＭＹＫＷ値からＲＧＢ値への色変換を定義したものとなり、測定処理により作成された場合は、ＣＭＹＫＷ値からＬａｂ値への色変換を定義したものとなる。本実施の形態では、第１の色空間における色値と第２の色空間における色値とを予め対応付けた対応情報の一例として、プロファイル３０４を用いている。
【００４３】
図５は、第１の実施の形態におけるプロファイルを用いた色変換について示した図である。
【００４４】
図示するように、端末装置１０の表示デバイス１５に表示された色変換指示画面３５１上で、入力欄３５１１に用紙銘柄が入力された状態で、画像３５１２の色変換が指示されると、図４でこの用紙銘柄に対して登録されたプロファイル３０４が取得され、画像３５１２を用紙に対する印刷結果の表示用に変換する色変換処理３５２が行われる。色変換処理３５２では、プロファイル３０４がＣＭＹＫＷ値からＲＧＢ値への色変換を定義したものであれば、プロファイル３０４を用いて画像３５１２上の色がＣＭＹＫＷ値からＲＧＢ値へ変換された後、測色センサ５５０の特性に基づいてＲＧＢ値がＬａｂ値へ変換され、その後、表示デバイス１５の特性に基づいてＬａｂ値がＲＧＢ値へ変換される。一方、プロファイル３０４がＣＭＹＫＷ値からＬａｂ値への色変換を定義したものであれば、プロファイル３０４を用いて画像３５１２上の色がＣＭＹＫＷ値からＬａｂ値へ変換された後、ｓＲＧＢ（standard RGB）の規格又は表示デバイス１５の特性の測定結果に基づいてＬａｂ値がＲＧＢ値へ変換される。
【００４５】
その後、表示デバイス１５上の色変換結果画面３５３に、色変換処理３５２が行われた後の画像３５３１が表示される。
【００４６】
尚、第１の実施の形態において、プロファイル３０４を複数の端末装置１０から共通にアクセス可能とし、他のユーザが登録したプロファイル３０４を使用できるようにしてよい。また、用紙銘柄は、例えば、用紙の名前や、用紙の商品コードであってよい。
【００４７】
（第２の実施の形態）
第２の実施の形態は、第１の実施の形態を用紙に対する印刷に適用した場合の実施の形態である。
【００４８】
第２の実施の形態におけるプロファイルの作成は、図４に示した第１の実施の形態におけるプロファイルの作成と同じなので、説明を省略する。
【００４９】
図６は、第２の実施の形態におけるプロファイルを用いた色変換について示した図である。
【００５０】
図示するように、端末装置１０の表示デバイス１５に表示された色変換指示画面３６１上で、入力欄３６１１に用紙銘柄が入力され、入力欄３６１２に印刷目標が入力された状態で、画像３６１３の色変換が指示されると、図４でこの用紙銘柄に対して登録されたプロファイル３０４が取得され、画像３６１３を用紙に対する印刷用に変換する色変換処理３６２が行われる。色変換処理３６２では、プロファイル３０４がＣＭＹＫＷ値からＲＧＢ値への色変換を定義したものであれば、プロファイル３０４を用いて画像３６１３上の色がＣＭＹＫＷ値からＲＧＢ値へ変換された後、測色センサ５５０の特性に基づいてＲＧＢ値がＬａｂ値へ変換され、その後、入力欄３６１２に入力された印刷目標に基づいてＬａｂ値がＣＭＹＫＷ値へ変換される。一方、プロファイル３０４がＣＭＹＫＷ値からＬａｂ値への色変換を定義したものであれば、プロファイル３０４を用いて画像３６１３上の色がＣＭＹＫＷ値からＬａｂ値へ変換された後、入力欄３６１２に入力された印刷目標に基づいてＬａｂ値がＣＭＹＫＷ値へ変換される。
【００５１】
その後、画像形成装置５０にて、色変換処理３６２が行われた後の画像３６３が形成された用紙が出力される。
【００５２】
尚、第２の実施の形態においても、プロファイル３０４を複数の端末装置１０から共通にアクセス可能とし、他のユーザが登録したプロファイル３０４を使用できるようにしてよい。また、用紙銘柄は、例えば、用紙の名前や、用紙の商品コードであってよい。
【００５３】
（第３の実施の形態）
第３の実施の形態は、端末装置１０の表示デバイス１５上で印刷結果をシミュレーションする際に、手間をかけずにある程度の品質にしたい場合の実施の形態である。
【００５４】
図７は、第３の実施の形態におけるプロファイルの作成について示した図である。
【００５５】
図示するように、まず、プロファイル作成指示画面３２１上で、選択肢３２１１，３２１２の何れかが選択され、入力欄３２１３に用紙銘柄が入力された状態で、ボタン３２１４が押下されると、画像形成装置５０にて、白トナーによるパッチを含むチャート画像３２２が出力される。ここで、チャート画像３２２は、白０％のパッチと白１００％のパッチとを少なくとも含んでいればよく、少ないパッチから色変換係数を求めることを可能にするものである。
【００５６】
次に、チャート画像３２２の読み取り又は測定を行う読み取り／測定処理３２３が行われる。このうち、読み取り処理は、選択肢３２１１が選択された場合に実行される処理で、測色センサ５５０（インラインセンサ）がチャート画像３２２を読み取る処理である。また、測定処理は、選択肢３２１２が選択された場合に実行される処理で、測色装置（図示せず）がチャート画像３２２を測定する処理である。
【００５７】
そして、この読み取り／測定処理３２３により、プロファイル３２４が作成される。プロファイル３２４は、入力欄３２１３に入力された用紙銘柄に対して登録される。また、プロファイル３２４は、読み取り処理により作成された場合は、Ｗ値からＲＧＢ値への色変換を定義したものとなり、測定処理により作成された場合は、Ｗ値からＬａｂ値への色変換を定義したものとなる。本実施の形態では、白色色材の色により構成される色空間における色値と第２の色空間における色値とを予め対応付けた対応情報の一例として、プロファイル３２４を用いている。
【００５８】
図８は、第３の実施の形態におけるプロファイルを用いた色変換について示した図である。
【００５９】
図示するように、端末装置１０の表示デバイス１５に表示された色変換指示画面３７１上で、入力欄３７１１に用紙銘柄が入力された状態で、画像３７１２の色変換が指示されると、図７でこの銘柄に対して登録されたプロファイル３２４が取得され、画像３７１２を用紙に対する印刷結果の表示用に変換する色変換処理３７２が行われる。色変換処理３７２では、プロファイル３２４がＷ値からＲＧＢ値への色変換を定義したものであれば、プロファイル３２４から作成された色変換係数を用いて画像３７１２上の色がＣＭＹＫＷ値からＲＧＢ値へ変換された後、測色センサ５５０の特性に基づいてＲＧＢ値がＬａｂ値へ変換され、その後、表示デバイス１５の特性に基づいてＬａｂ値がＲＧＢ値へ変換される。一方、プロファイル３２４がＷ値からＬａｂ値への色変換を定義したものであれば、プロファイル３２４から作成された色変換係数を用いて画像３７１２上の色がＣＭＹＫＷ値からＬａｂ値へ変換された後、ｓＲＧＢの規格又は表示デバイス１５の特性の測定結果に基づいてＬａｂ値がＲＧＢ値へ変換される。
【００６０】
その後、表示デバイス１５上の色変換結果画面３７３に、色変換処理３７２が行われた後の画像３７３１が表示される。
【００６１】
尚、第３の実施の形態においても、プロファイル３２４を複数の端末装置１０から共通にアクセス可能とし、他のユーザが登録したプロファイル３２４を使用できるようにしてよい。また、用紙銘柄は、例えば、用紙の名前や、用紙の商品コードであってよい。
【００６２】
図９は、図８の色変換処理３７２で用いられる色変換係数の作成方法を説明するための図である。ここでは、用紙として色紙を例にとっている。また、ここでは、プロファイル３２４がＷ値からＬａｂ値への色変換を定義したものである場合について説明するが、プロファイル３２４がＷ値からＲＧＢ値への色変換を定義したものである場合についても同じ考え方で、色変換係数は作成される。
【００６３】
まず、色紙の色ＡのＬａｂ値がプロファイル３２４から求められる。具体的には、色紙の色ＡのＬａｂ値は、Ｗ値０に対応するＬａｂ値とすればよい。
【００６４】
次に、この色紙上に、あるＷ値（Ｗ１とする）で表される量の白トナーを形成した場合について考える。この場合、色紙上の白トナーの色ＢのＬａｂ値がプロファイル３２４から求められる。具体的には、色紙上の白トナーの色ＢのＬａｂ値は、Ｗ値Ｗ１に対応するＬａｂ値とすればよい。
【００６５】
次に、この色紙上に、あるＣＭＹＫ値（Ｃ１、Ｍ１、Ｙ１、Ｋ１とする）で表される量のＣ、Ｍ、Ｙ、Ｋトナー（以下、「カラートナー」という）を形成した場合について考える。この場合、白紙の色ＦのＬａｂ値を基準用紙の情報として予め定義しておき、白紙上のカラートナーの色ＥのＬａｂ値も基準用紙の情報として予め定義しておけば、色紙上のカラートナーの色（白トナーあり）Ｄは、白トナーの隠蔽率が１００％の場合に色Ｅとほぼ同じになることから、求められる。
【００６６】
次いで、色紙上のカラートナーの色（白トナーなし）Ｃ、つまり、白トナーの隠蔽率が０．０（０％）である場合の色紙上のカラートナーの色Ｃが、求められる。具体的には、色Ａと、色紙上のカラートナーの色（白トナーあり）Ｄ、つまり、白トナーの隠蔽率が１．０（１００％）である場合の色紙上のカラートナーの色Ｄ（色Ｅとほぼ同じ）とから、ノイゲバウアー方程式等で導出すればよい。
【００６７】
次いで、Ｗ値Ｗ１に対応する隠蔽率Ｈｒが求められる。具体的には、色Ｆと色Ａとの色差をΔＥ＿ＦＡとし、色Ｆと色Ｂとの色差をΔＥ＿ＦＢとすると、隠蔽率Ｈｒは、次の式により求められる。
【００６８】
【数１】
2019192995.tif 000003
【００６９】
このようにして色ＣのＬ値Ｌ＿Ｃ、ａ値ａ＿Ｃ、ｂ値ｂ＿Ｃと、色ＤのＬ値Ｌ＿Ｄ、ａ値ａ＿Ｄ、ｂ値ｂ＿Ｄと、隠蔽率Ｈｒとが求められると、実際の表示色ＧのＬ値Ｌ＿Ｇ、ａ値ａ＿Ｇ、ｂ値ｂ＿Ｇは、上記で算出された隠蔽率Ｈｒを用いて、次に式により求められる。
【００７０】
【数２】
2019192995.tif 000004
【００７１】
以上の処理を様々なＣＭＹＫ値及びＷ値について行うことにより、任意のＣＭＹＫＷ値を実際の表示色のＬａｂ値に変換するための色変換係数が生成される。
【００７２】
尚、本実施の形態では、対応情報から求まる色値の一例として、色紙上の白トナーの色ＢのＬａｂ値を用いている。また、複数の有色色材の色により構成される色空間における色値との一例として、色紙上のカラートナーの色（白トナーなし）ＣのＬａｂ値、及び、色紙上のカラートナーの色（白トナーあり）ＤのＬａｂ値を用いている。
【００７３】
（第４の実施の形態）
第４の実施の形態も、端末装置１０の表示デバイス１５上で印刷結果をシミュレーションする際に、手間をかけずにある程度の品質にしたい場合の実施の形態である。しかも、この第４の実施の形態では、実際に用紙を用いることなくデザインイメージだけを作りたい場合や、測色装置が存在しない場合に適用可能である。
【００７４】
図１０は、第４の実施の形態における色変換について示した図である。
【００７５】
図示するように、端末装置１０の表示デバイス１５に表示された色変換指示画面３８１上で、選択欄３８１１に表示された基本色（赤、青、黄、緑等）の中から用紙の色が選択され、選択欄３８１２に表示されたスライダバーを操作することにより隠蔽率が選択された状態で、画像３８１３の色変換が指示されると、画像３８１３を用紙に対する印刷結果の表示用に変換する色変換処理３８２が行われる。色変換処理３８２では、選択欄３８１１で選択された用紙の色に応じて作成された色変換係数と、選択欄３８１２で選択された隠蔽率とを用いて、画像３８１３上の色がＣＭＹＫ値からＬａｂ値へ変換された後、ｓＲＧＢの規格又は表示デバイス１５の特性の測定結果に基づいてＬａｂ値がＲＧＢ値へ変換される。
【００７６】
その後、表示デバイス１５上の色変換結果画面３８３に、色変換処理３８２が行われた後の画像３８３１が表示される。特に、この第４の実施の形態では、選択欄３８１２に表示されたスライダバーを操作することにより隠蔽率を変化させると、色変換処理３８２が行われた後の画像３８３１の色も変化することになる。
【００７７】
図１１は、図１０の色変換処理３８２で用いられる色変換係数の作成方法を説明するための図である。ここでも、用紙として色紙を例にとっている。
【００７８】
まず、色紙の色ＡのＬａｂ値が予め定義される。具体的には、色紙の色ＡのＬａｂ値は、選択欄３８１１で選択された基本色のＬａｂ値とし、このＬａｂ値は予め定義しておけばよい。
【００７９】
次に、この色紙上に、あるＣＭＹＫ値（Ｃ１、Ｍ１、Ｙ１、Ｋ１とする）で表される量のＣ、Ｍ、Ｙ、Ｋトナー（以下、「カラートナー」という）を形成した場合について考える。この場合、色紙上のカラートナーの色（隠蔽率１．０）Ｄは、白紙上のカラートナーの色と同じであり、この色のＬａｂ値は基準用紙の情報として予め定義しておけばよい。
【００８０】
次いで、色紙上のカラートナーの色（隠蔽率０．０）Ｃが、求められる。具体的には、色Ａと、色紙上のカラートナーの色（隠蔽率１．０）Ｄとから、ノイゲバウアー方程式等で導出すればよい。
【００８１】
このようにして色ＣのＬ値Ｌ＿Ｃ、ａ値ａ＿Ｃ、ｂ値ｂ＿Ｃと、色ＤのＬ値Ｌ＿Ｄ、ａ値ａ＿Ｄ、ｂ値ｂ＿Ｄとが求められると、実際の表示色ＧのＬ値Ｌ＿Ｇ、ａ値ａ＿Ｇ、ｂ値ｂ＿Ｇは、ユーザが指定した隠蔽率Ｈｒを用いて、次に式により求められる。
【００８２】
【数３】
2019192995.tif 000005
【００８３】
以上の処理を様々なＣＭＹＫ値について行うことにより、任意のＣＭＹＫ値を、ユーザが指定した隠蔽率に基づいて実際の表示色のＬａｂ値に変換するための色変換係数が生成される。
【００８４】
［プリントサーバの機能構成］
図１２は、本実施の形態におけるプリントサーバ３０の機能構成例を示したブロック図である。図示するように、プリントサーバ３０は、プロファイル作成部４１と、測色データ取得部４２と、プロファイル記憶部４３と、画像取得部４４と、色変換部４５と、画像出力部４６とを備えている。尚、第４の実施の形態におけるプリントサーバ３０は、プロファイル作成部４１、測色データ取得部４２、及び、プロファイル記憶部４３を備えていないが、ここでは、説明の便宜上これらも示している。
【００８５】
プロファイル作成部４１は、画像形成装置５０の測色センサ５５０又はこれ以外の測色装置（図示せず）の選択と、用紙銘柄の指定とを受け付ける。すると、画像形成装置５０が用紙に対しチャート画像を形成するよう、画像形成装置５０へのチャート画像の出力を画像出力部４６に指示する。具体的には、第１及び第２の実施の形態では、イエロー（Ｙ）、マゼンタ（Ｍ）、シアン（Ｃ）、黒（Ｋ）、白（Ｗ）によりチャート画像３０２を形成するよう、画像形成装置５０へのチャート画像３０２の出力を画像出力部４６に指示する。また、第３の実施の形態では、白（Ｗ）のみによりチャート画像３２２を形成するよう、画像形成装置５０へのチャート画像３２２の出力を画像出力部４６に指示する。そして、用紙に形成されたチャート画像から測色センサ５５０又はこれ以外の測色装置（図示せず）が得た色の特徴量（以下、「測色データ」という）を取得するよう、測色データ取得部４２に指示する。これにより、チャート画像で用いた色値と測色データとして取得した色値とを対応付けたプロファイルを作成する。具体的には、第１及び第２の実施の形態では、ＣＭＹＫＷ値とＲＧＢ値又はＬａｂ値とを対応付けたプロファイルを作成する。また、第３の実施の形態では、Ｗ値とＲＧＢ値又はＬａｂ値とを対応付けたプロファイルを作成する。
【００８６】
測色データ取得部４２は、画像形成装置５０の測色センサ５５０又はこれ以外の測色装置（図示せず）にて取得された測色データを、通信回線８０を介して取得する。
【００８７】
プロファイル記憶部４３は、プロファイル作成部４１が選択を受け付けた用紙銘柄に関連付けて、プロファイル作成部４１により作成されたプロファイルを記憶する。
【００８８】
画像取得部４４は、端末装置１０から受信した印刷指示データをラスタライズすることで得られた画像を取得する。本実施の形態では、有色媒体に印刷する画像を取得する画像取得手段の一例として、画像取得部４４を設けている。
【００８９】
色変換部４５は、用紙銘柄又は用紙色の指定を受け付け、色変換係数を取得する。具体的には、第１及び第２の実施の形態では、用紙銘柄の指定を受け付け、プロファイル記憶部４３にこの用紙銘柄に関連付けて記憶されたＣＭＹＫＷ値とＲＧＢ値又はＬａｂ値との対応をそのまま色変換係数とする。また、第３の実施の形態では、用紙銘柄の指定を受け付け、プロファイル記憶部４３にこの用紙銘柄に関連付けて記憶されたＷ値とＲＧＢ値又はＬａｂ値との対応から色変換係数を生成することにより、色変換係数を取得する。更に、第４の実施の形態では、用紙色の指定を受け付け、プロファイルを用いずに、この用紙色を用いて色変換係数を生成することにより、色変換係数を取得する。本実施の形態では、色変換情報を取得する色変換情報取得手段の一例として、色変換部４５を設けている。また、有色媒体の種別の一例として、用紙銘柄を用いており、有色媒体の色の一例として、用紙色を用いており、有色媒体の種別を特定する特定手段の一例として、また、有色媒体の色を特定する特定手段の一例として、色変換部４５を設けている。
【００９０】
また、色変換部４５は、画像取得部４４により取得された画像に対し、この取得した色変換係数を用いて色変換を行う。具体的には、第１乃至第３の実施の形態では、画像取得部４４により取得された画像上のＣＭＹＫＷ値を、色変換係数を用いて変換する。また、第４の実施の形態では、隠蔽率の指定を受け付け、画像取得部４４により取得された画像上のＣＭＹＫ値と、隠蔽率とを、色変換係数を用いて変換する。本実施の形態では、画像上の色を変換する色変換手段の一例として、色変換部４５を設けている。また、隠蔽率を特定する特定手段の一例として、色変換部４５を設けている。
【００９１】
画像出力部４６は、第１乃至第３の実施の形態では、プロファイル作成部４１からの指示に従い、チャート画像を画像形成装置５０に出力する。具体的には、第１及び第２の実施の形態では、イエロー（Ｙ）、マゼンタ（Ｍ）、シアン（Ｃ）、黒（Ｋ）、白（Ｗ）によるチャート画像３０２を画像形成装置５０に送信する。また、第３の実施の形態では、白（Ｗ）のみによるチャート画像３２２を画像形成装置５０に送信する。
【００９２】
また、画像出力部４６は、色変換部４５により色変換がなされた画像を出力する。具体的には、第１、第３及び第４の実施の形態では、色変換部４５により色変換がなされた画像を表示データに含めて端末装置１０に送信する。また、第２の実施の形態では、色変換部４５により色変換がなされた画像を印刷データに含めて画像形成装置５０に送信する。本実施の形態では、色が変換された画像を出力する画像出力手段の一例として、画像出力部４６を設けている。
【００９３】
［プリントサーバの動作］
（プロファイル作成時の動作）
図１３は、プリントサーバ３０のプロファイル作成時の動作例を示したフローチャートである。尚、この動作は、第１及び第２の実施の形態では、図４のボタン３０１４が押下されることにより、第３の実施の形態では、図７のボタン３２１４が押下されることにより、開始する。第４の実施の形態では、この動作は実行されない。
【００９４】
プリントサーバ３０では、まず、プロファイル作成部４１が、用紙銘柄の入力を受け付ける（ステップ４０１）。具体的には、第１及び第２の実施の形態では、図４の入力欄３０１３に対して行われた用紙銘柄の入力を受け付け、第３の実施の形態では、図７の入力欄３２１３に対して行われた用紙銘柄の入力を受け付ける。
【００９５】
次に、プロファイル作成部４１の指示により、画像出力部４６が、チャート画像を画像形成装置５０に出力する（ステップ４０２）。具体的には、第１及び第２の実施の形態では、イエロー（Ｙ）、マゼンタ（Ｍ）、シアン（Ｃ）、黒（Ｋ）、白（Ｗ）を用いたチャート画像３０２を画像形成装置５０に出力し、第３の実施の形態では、白（Ｗ）のみを用いたチャート画像３２２を画像形成装置５０に出力する。
【００９６】
これにより、画像形成装置５０は、チャート画像を用紙に形成する。その際、第１及び第２の実施の形態では、図４の選択肢３０１１が選択されていれば、画像形成装置５０の測色センサ５５０が、図４の選択肢３０１２が選択されていれば、画像形成装置５０の測色センサ５５０以外の測色装置が、チャート画像３０２が形成された用紙を測色することにより測色データを得る。また、第３の実施の形態では、図７の選択肢３２１１が選択されていれば、画像形成装置５０の測色センサ５５０が、図７の選択肢３２１２が選択されていれば、画像形成装置５０の測色センサ５５０以外の測色装置が、チャート画像３２２が形成された用紙を測色することにより測色データを得る。そして、プリントサーバ３０では、測色データ取得部４２が、このようにして得られた測色データを取得する（ステップ４０３）。
【００９７】
その後、プロファイル作成部４１は、プロファイルを作成する（ステップ４０４）。尚、ここで作成されるプロファイルは、第１及び第２の実施の形態では、ＣＭＹＫＷ値とＲＧＢ値又はＬａｂ値とを対応付けたものであり、第３の実施の形態では、Ｗ値とＲＧＢ値又はＬａｂ値とを対応付けたものである。
【００９８】
そして、プロファイル作成部４１は、ステップ４０１で入力された用紙銘柄に関連付けて、ステップ４０４で作成されたプロファイルを、プロファイル記憶部４３に記憶する（ステップ４０５）。
【００９９】
（色変換時の動作）
図１４は、プリントサーバ３０の色変換時の動作例を示したフローチャートである。尚、ここでは、第１乃至第３の実施の形態における動作のみ説明し、第４の実施の形態における動作については後述する。
【０１００】
プリントサーバ３０では、まず、画像取得部４４が、印刷指示データをラスタライズすることにより得られた画像を取得する（ステップ４５１）。
【０１０１】
次に、色変換部４５が、用紙銘柄の入力を受け付ける（ステップ４５２）。具体的には、第１の実施の形態では、図５の入力欄３５１１に対して行われた用紙銘柄の入力を受け付け、第２の実施の形態では、図６の入力欄３６１１に対して行われた用紙銘柄の入力を受け付け、第３の実施の形態では、図８の入力欄３７１３に対して行われた用紙銘柄の入力を受け付ける。
【０１０２】
すると、色変換部４５は、色変換係数を取得する（ステップ４５３）。具体的には、第１及び第２の実施の形態では、ステップ４５２で入力を受け付けた用紙銘柄に関連付けてプロファイル記憶部４３に記憶されたプロファイルを色変換係数として取得する。また、第３の実施の形態では、ステップ４５２で入力を受け付けた用紙銘柄に関連付けてプロファイル記憶部４３に記憶されたプロファイルから色変換係数を生成することにより、色変換係数を取得する。ここで、色変換係数には、ＣＭＹＫＷ値をＲＧＢ値に変換するための係数と、ＣＭＹＫＷ値をＬａｂ値に変換するための係数とがある。
【０１０３】
次に、色変換部４５は、ステップ４５３で取得した色変換係数を用いて、ステップ４５１で取得した画像上のＣＭＹＫＷ値をＬａｂ値に変換する（ステップ４５４）。具体的には、色変換係数がＣＭＹＫＷ値をＲＧＢ値に変換するためのものである場合には、ステップ４５３で取得した色変換係数を用いて、ステップ４５１で取得した画像上のＣＭＹＫＷ値をＲＧＢ値に変換した後、測色センサ５５０の特性に基づいてＲＧＢ値をＬａｂ値に変換する。また、色変換係数がＣＭＹＫＷ値をＬａｂ値に変換するためのものである場合には、ステップ４５３で取得した色変換係数を用いて、ステップ４５１で取得した画像上のＣＭＹＫＷ値をＬａｂ値に変換する。
【０１０４】
次いで、色変換部４５は、ステップ４５４の変換で得られたＬａｂ値を、出力先の装置に依存する色空間における色値に変換する（ステップ４５５）。具体的には、第１及び第３の実施の形態では、ステップ４５４の変換で得られたＬａｂ値を、表示デバイス１５の特性に基づいて、ＲＧＢ値に変換する。また、第２の実施の形態では、ステップ４５４の変換で得られたＬａｂ値を、画像形成装置５０の特性に基づいて、ＣＭＹＫＷ値に変換する。
【０１０５】
その後、画像出力部４６が、ステップ４５３〜４５５で色変換が行われた画像を出力する（ステップ４５６）。具体的には、第１及び第３の実施の形態では、ステップ４５３〜４５５で色変換が行われた画像を端末装置１０の表示デバイス１５に出力し、第２の実施の形態では、ステップ４５３〜４５５で色変換が行われた画像を画像形成装置５０に出力する。
【０１０６】
尚、第４の実施の形態におけるプリントサーバ３０の色変換時の動作は、図１４のフローチャートを次のように変更すればよい。即ち、ステップ４５２は、用紙色及び隠蔽率の入力を受け付けるステップとすればよい。また、ステップ４５３は、プロファイルを用いずに、ステップ４５２で入力を受け付けた用紙色を用いて色変換係数を生成することにより、色変換係数を取得するステップとすればよい。更に、ステップ４５４は、ステップ４５３で取得した色変換係数を用いて、ステップ４５１で取得した画像上のＣＭＹＫ値と、ステップ４５２で入力を受け付けた隠蔽率とをＬａｂ値に変換するステップとすればよい。一方、これらのステップ以外のステップは、変更することなく実行すればよい。
【０１０７】
［本実施の形態の変形例］
上記では、プロファイルを作成する処理及び色変換を行う処理の両方をプリントサーバ３０で行うようにしたが、これには限らない。例えば、プロファイルを作成する処理は、画像形成装置５０内のコントローラで行うようにしてもよい。また、色変換を行う処理は、第１、第３及び第４の実施の形態では、端末装置１０で行うようにしてもよく、第２の実施の形態では、画像形成装置５０のコントローラで行うようにしてもよい。
【０１０８】
［プログラム］
本実施の形態におけるプリントサーバ３０、端末装置１０、又は、画像形成装置５０のコントローラで行う処理は、例えば、アプリケーションソフトウェア等のプログラムとして用意される。
【０１０９】
即ち、本実施の形態を実現するプログラムは、コンピュータに、有色媒体に印刷する画像を取得する画像取得機能と、有色媒体の色に応じた色変換を行うための色変換情報を用いて、画像取得機能により取得された画像上の色を変換する色変換機能と、色変換機能により色が変換された画像を出力する画像出力機能とを実現させるためのプログラムとしても捉えられる。
【０１１０】
尚、本実施の形態を実現するプログラムは、通信手段により提供することはもちろん、ＣＤ−ＲＯＭ等の記録媒体に格納して提供することも可能である。
【符号の説明】
【０１１１】
１０…端末装置、３０…プリントサーバ、４１…プロファイル作成部、４２…測色データ取得部、４３…プロファイル記憶部、４４…画像取得部、４５…色変換部、４６…画像出力部、５０…画像形成装置、８０…通信回線
【図１】
2019192995.tif 000006
【図２】
2019192995.tif 000007
【図３】
2019192995.tif 000008
【図４】
2019192995.tif 000009
【図５】
2019192995.tif 000010
【図６】
2019192995.tif 000011
【図７】
2019192995.tif 000012
【図８】
2019192995.tif 000013
【図９】
2019192995.tif 000014
【図１０】
2019192995.tif 000015
【図１１】
2019192995.tif 000016
【図１２】
2019192995.tif 000017
【図１３】
2019192995.tif 000018
【図１４】
2019192995.tif 000019